(57)【要約】ＬＥＤが実装基板に実装された複数のＬＥＤモジュール（２２，２４，２８，３０）を有し、口金部（１４）を介して供給される電力によって発光する前記ＬＥＤの光を、グローブ（１６）を介して外部に射出する構成とした電球形のＬＥＤランプ（１０）であって、グローブ（１６）内に光拡散部材（５８）を備え、複数のＬＥＤモジュール（２２，２４，２８，３０）の内、一のＬＥＤモジュール（２２）は口金部（１４）の軸心Ｘの延長上に在り、光拡散部材（５８）はＬＥＤモジュール（２２）の光射出方向に在って、他のＬＥＤモジュール（２４，２８，３０）はＬＥＤモジュール（２２）の周辺に配されていて、光拡散部材（５８）の方向に傾けて配置されているＬＥＤランプ（１０）とした。
2011145252.tif 000002
【特許請求の範囲】
【請求項１】
ＬＥＤが実装基板に実装されたＬＥＤモジュールを複数個有し、口金を介して供給される電力によって発光する前記ＬＥＤの光を、グローブを介して外部に射出する構成としたＬＥＤランプであって、
前記グローブ内に光拡散部材を備え、
前記複数のＬＥＤモジュールの内、一のＬＥＤモジュールは前記口金の軸心の延長上に在り、前記光拡散部材は当該一のＬＥＤモジュールの光射出方向に在って、
他のＬＥＤモジュールは前記一のＬＥＤモジュールの周辺に配されており、その少なくとも一つは、前記光拡散部材の方向に傾けて配置されていることを特徴とするＬＥＤランプ。
【請求項２】
前記ＬＥＤモジュールを３個以上有し、
前記一のＬＥＤモジュールは、前記口金の前記軸心の延長線が当該一のＬＥＤモジュールの中心を通る位置に配されており、
他のＬＥＤモジュールは、前記軸心方向から視て、当該軸心を中心とする回転対称に配されていることを特徴とする請求項１に記載のＬＥＤランプ。
【請求項３】
前記一のＬＥＤモジュールは、他のＬＥＤモジュールのいずれよりも発光量が多いことを特徴とする請求項１または２に記載のＬＥＤランプ。
【請求項４】
前記光拡散部材は、多面体形状をしていることを特徴とする請求項１〜３のいずれか１項に記載のＬＥＤランプ。
【請求項５】
前記光拡散部材は、リング状をしており、当該リングの中心を前記軸心の延長線が通る位置に配されていることを特徴とする請求項１〜３のいずれか１項に記載のＬＥＤランプ。
【請求項６】
基台を有し、前記複数のＬＥＤモジュールは前記基台に搭載されており、
前記光拡散部材は、支持部材を介して、前記基台に支持されていることを特徴とする請求項１〜５のいずれか１項に記載のＬＥＤランプ。
【請求項７】
前記光拡散部材は、前記グローブに固定されていることを特徴とする請求項１〜５のいずれか１項に記載のＬＥＤランプ。
【請求項８】
照明器具と、
前記照明器具に装着された請求項１〜７のいずれか１項に記載のＬＥＤランプと、
を有することを特徴とする照明装置。
【発明の詳細な説明】
【技術分野】
【０００１】
本発明は、ＬＥＤランプおよび照明装置に関し、特に、白熱電球の代替光源として好適なＬＥＤランプ等に関する。
【背景技術】
【０００２】
近年の省資源の要請から、寿命による交換頻度を低減すると共に省電力化を図るため、白熱電球よりも長寿命で消費電力の少ない電球形のＬＥＤランプが実用化されさらなる開発が進められている。【０００３】
電球形ＬＥＤランプは、一般的に、一の実装基板に多数のＬＥＤチップを実装し、当該実装基板の裏側、口金との間に存する筐体空間内にＬＥＤチップを点灯するための回路ユニットが収納されてなる構成を有している。【０００４】
また、白熱電球の代替光源とするには、できるだけ白熱電球の配光特性に近づけることが要求されている。すなわち、例えば、下向きに取り付けた場合に、下方のみならず横方向、さらには斜め後方といった広範囲に光を発することが要求されている。【０００５】
この点、ＬＥＤの配光はランバーシアンの特性を呈し、その指向性が強いため、そのままでは、主としてランプの直下およびその近傍を照らすといった配光特性になってしまう。このため、電球形ＬＥＤランプは、前記実装基板の周辺に開口部を有し、実装基板全体を覆うグローブを備えている（特許文献１）。そして、当該グローブを例えば、乳白色の半透明とすることにより、ＬＥＤからの光を、グローブを通過する間に散乱させ、可能な限り広範囲な配光とする工夫がなされている。【０００６】
しかしながら、ＬＥＤから発せられた光は、その指向性から専ら、グローブ内面の内ＬＥＤ前方に存する領域を通過するだけなので、その散乱効果も限定的なものとなってしまう。【０００７】
そこで、本願の出願人においては、実装基板の前方であってグローブとの間に光拡散部材が設けられたＬＥＤランプが創作されたため、この発明について先に出願した。【０００８】
これによれば、ＬＥＤから発せられた光の一部がその前方に設けられた光拡散部材によって拡散（散乱）され、グローブ内面のより広範囲な領域を通過して射出されることとなり、配光特性が改善される。
【先行技術文献】
【特許文献】
【０００９】
【特許文献１】特開２００９−０３７９９５号公報
【特許文献２】特開２０１０−０８６７１３号公報
【発明の概要】
【発明が解決しようとする課題】
【００１０】
上記の発明により配光特性の一定の改善が認められるものの、さらなる改善を目指して、本発明は、より広範囲に光を出射できるＬＥＤランプを提供することを目的とする。また、そのようなＬＥＤランプを備えた照明装置を提供することを目的とする。
【課題を解決するための手段】
【００１１】
上記の目的を達成するため、本発明に係るＬＥＤランプは、ＬＥＤが実装基板に実装されたＬＥＤモジュールを複数個有し、口金を介して供給される電力によって発光する前記ＬＥＤの光を、グローブを介して外部に射出する構成としたＬＥＤランプであって、前記グローブ内に光拡散部材を備え、前記複数のＬＥＤモジュールの内、一のＬＥＤモジュールは前記口金の軸心の延長上に在り、前記光拡散部材は当該一のＬＥＤモジュールの光射出方向に在って、他のＬＥＤモジュールは前記一のＬＥＤモジュールの周辺に配されており、その少なくとも一つは、前記光拡散部材の方向に傾けて配置されていることを特徴とする。【００１２】
また、前記ＬＥＤモジュールを３個以上有し、前記一のＬＥＤモジュールは、前記口金の前記軸心の延長線が当該一のＬＥＤモジュールの中心を通る位置に配されており、他のＬＥＤモジュールは、前記軸心方向から視て、当該軸心を中心とする回転対称に配されていることを特徴とする。【００１３】
さらに、前記一のＬＥＤモジュールは、他のＬＥＤモジュールのいずれよりも発光量が多いことを特徴とする。【００１４】
また、前記光拡散部材は、多面体形状をしていることを特徴とする。【００１５】
あるいは、前記光拡散部材は、リング状をしており、当該リングの中心を前記軸心の延長線が通る位置に配されていることを特徴とする。【００１６】
また、基台を有し、前記複数のＬＥＤモジュールは前記基台に搭載されており、前記光拡散部材は、支持部材を介して、前記基台に支持されていることを特徴とする。【００１７】
あるいは、前記光拡散部材は、前記グローブに固定されていることを特徴とする。【００１８】
上記の目的を達成するため、本発明に係る照明装置は、照明器具と、前記照明器具に装着された上記のＬＥＤランプとを有することを特徴とする。
【発明の効果】
【００１９】
上記の構成からなるＬＥＤランプによれば、口金の軸心の延長上に設けられた一のＬＥＤモジュールのみにならず、その周辺に配された他のＬＥＤモジュールの少なくとも一つが光拡散部材の方向を向いているため、ＬＥＤモジュールを１個のみとした場合と比較して（すなわち、全てのＬＥＤが同じ向きに光を射出する構成とした場合と比較して）、光拡散部材で拡散される光の量が増大するため、グローブのより広範囲に渡って光が通過することとなる。その結果、ＬＥＤランプからさらに広範囲に光が射出されることとなる。
【図面の簡単な説明】
【００２０】
【図１】（ａ）は電球形ＬＥＤランプの概略構成を示す断面図であり、（ｂ）は光拡散部材の斜視図であり、（ｃ）は金属部に支持されている光拡散部材を示す図である。
【図２】（ａ）は上記電球形ＬＥＤランプのグローブを取り除いた状態の平面図であり、（ｂ）はＬＥＤモジュールおよび金属部の一部を示す斜視図である。
【図３】光拡散部材の配置位置の変形例を示す図である。
【図４】（ａ）、（ｂ）、（ｃ）は、いずれも光拡散部材の変形例を示す斜視図である。
【図５】（ａ）は光拡散部材の変形例を示す斜視図であり、（ｂ）は光拡散部材の他の変形例を示す斜視図であり、（ｃ）は（ｂ）に示す光拡散部材の断面図である。
【図６】変形例に係る電球形ＬＥＤランプの一部を示す断面図である。
【図７】（ａ）、（ｂ）、（ｃ）は、いずれも変形例に係る電球形ＬＥＤランプの一部を示す断面図である。
【図８】（ａ）、（ｂ）、（ｃ）は、いずれも変形例に係る電球形ＬＥＤランプを示す平面図であり、グローブを取り除いた状態を表している。
【図９】変形例に係る電球形ＬＥＤランプの一部を示す断面図である。
【図１０】（ａ）、（ｂ）は、いずれも変形例に係る電球形ＬＥＤランプの一部を示す断面図である。
【図１１】照明装置の概略構成を示す図である。
【発明を実施するための形態】
【００２１】
以下、本発明の実施の形態について、図面を参照しながら説明する。
【００２２】
図１（ａ）は、電球形ＬＥＤランプ１０（以下、単に「ＬＥＤランプ１０」と言う。）の断面図であり、図２（ａ）は、後述するグローブ１６を取り除いた状態のＬＥＤランプ１０の平面図である。なお、本図を含む全ての図において各部材間の尺度は統一していない。
【００２３】
図１（ａ）に示すように、ＬＥＤランプ１０は、ケース部１２と、ケース部１２に一体的に連接された口金部１４と、ケース部１２に接着された略半球殻状のグローブ１６とを有する。グローブ１６は、合成樹脂やガラス等の透光性材料からなる。なお、グローブ１６は、光散乱効果を得るためブラスト処理又は、微粒子のふきつけや塗布がなされている。
【００２４】
ケース部１２は、金属部１８と絶縁部２０とからなる。金属部１８は、例えば、アルミニウムからなり、主として後述するＬＥＤモジュール２２，２４，２６，２８，３０が発する熱を放散させるためのヒートシンクを兼用している。絶縁部２０はエポキシ樹脂その他の合成樹脂材料からなる。
【００２５】
金属部１８は、中空の略円錐台形状をしていて、その外底部には、図２（ａ）に示すように、発光モジュールであるＬＥＤモジュール２２，２４，２６，２８，３０が設けられている。よって、金属部１８は、これらＬＥＤモジュール２２，２４，２６，２８，３０を搭載するための基台としての役割も有する。
【００２６】
５個のＬＥＤモジュール２２，２４，２６，２８，３０の内、中央に配されたＬＥＤモジュール２２は、正方形をした実装基板２２Ａに９個の青色ＬＥＤチップ２２Ｂ（図２（ａ）では不図示）が３行３列のマトリックス状に実装されていて、これら９個のＬＥＤチップ２２Ｂは、実装基板２２Ａの配線（不図示）によって直列接続されている。そして、これらのＬＥＤチップ９個を緑色蛍光体膜２２Ｃで覆っている。これにより白色ＬＥＤモジュール２２が構成されている。
【００２７】
残りのＬＥＤモジュール２４，２６，２８，３０は、実装基板２４Ａ，２６Ａ，２８Ａ，３０Ａの形状、実装されているＬＥＤチップの個数が異なる以外は、基本的に、ＬＥＤモジュール２２の構成と同様である。すなわち、長方形をした実装基板２４Ａ，２６Ａ，２８Ａ，３０Ａに、６個の青色ＬＥＤチップ（不図示）が２行３列に実装されていて、これらのＬＥＤチップを緑色蛍光体膜２４Ｃ，２６Ｃ，２８Ｃ，３０Ｃが覆っている。
【００２８】
そして、ＬＥＤモジュール２２は、後述する軸心Ｘの延長線がその中心（ＬＥＤモジュール２２の中心）を通る位置に配されており、他のＬＥＤモジュール２４，２６，２８，３０は、軸心Ｘ方向から視て、軸心Ｘを中心とする回転対称に配されている。
【００２９】
図１（ａ）に戻り、一方、金属部１８内には、ＬＥＤモジュール２２，２４，２６，２８，３０を点灯させるための点灯回路ユニット３２が収納されている。点灯回路ユニット３２は、金属部１８の内底部に接合されたプリント配線板３４とプリント配線板３４に実装された複数個の電子部品３６等からなる。電子部品３６は、プリント配線板３４の配線パターン（ランド等）に半田等によって電気的に接続されており、電子部品３６間は、配線パターンやプリント配線板３４に半田付けされた導線等によって電気的に接続されている。ＬＥＤモジュール２２，２４，２６，２８，３０と点灯回路ユニット３２とは、図２（ａ）に示すように、金属部１８の底部に開設された貫通孔１８Ａ，１８Ｂ，１８Ｃ，１８Ｄに、それぞれ挿通された内部配線３７，３８，３９,４０，４１，４２，４３，４４，４５，４６によって電気的に接続されている。
【００３０】
図１（ａ）に戻り、点灯回路ユニット３２は、口金部１４から第１リード線４８および第２リード線４９を介して供給される商用交流電力を、ＬＥＤモジュール２２，２４，２６，２８，３０を点灯させるための電力に変換して、ＬＥＤモジュール２２，２４，２６，２８，３０に給電する。なお、第１リード線４８、第２リード線４９は、いずれも被覆線であり被覆が両端部部分において一部ストリップされ、導線が露出してなるものである。
【００３１】
口金部１４は、ＪＩＳ（日本工業規格）に規定する、例えば、Ｅ２６口金の規格に適合するものであり、一般白熱電球用のソケット（不図示）に装着して使用される。
【００３２】
口金部１４は、筒状胴部とも称されるシェル５０と円形皿状をしたアイレット５２とを有する。シェル５０とアイレット５２とは、ガラス材料からなる第１絶縁体部５４を介して一体となっている。この一体となったものが、ケース部１２から延出され、円筒状をした第２絶縁体部５６に嵌め込まれている。
【００３３】
第２絶縁体部５６には、貫通孔５６Ａが開設されており、貫通孔５６Ａを介して第１リード線４８が第２絶縁体部５６内から外部に導出されている。
【００３４】
第１リード線４８の一端部の導線部分は、シェル５０の内周面と第２絶縁体部５６外周面との間に挟持されている。これにより、第１リード線４８とシェル５０とは電気的に接続されている。
【００３５】
アイレット５２は、中央部に開設された貫通孔５２Ａを有している。第２リード線４９の導線部がこの貫通孔５２Ａから外部へ導出され、アイレット５０の外面（上面）に半田付けにより接合されている。
【００３６】
グローブ１６内には、光拡散部材５８が設けられている。
【００３７】
図１（ｂ）に光拡散部材５８を斜め下方（金属部１８側）から見た斜視図を示す。光拡散部材５８は、正八角錐形状をした部分（以下、「八角錐部６０」と言う。）を有し、正八角錐形の基部から鍔部６２が一体形成されている。光拡散部材５８は、例えば、ガラス材料からなる。光拡散部材５８は、図１（ｃ）に示すように、４本の脚部６４を介して金属部１８に支持されている。なお、光拡散部材５８はガラス材料に限らず、樹脂や金属、セラミックでも構わない。なお、透光性を有していない金属などを使用する場合は中心部分に貫通孔を設けることで、中心部からの光を取り出すことができる。また、４本の脚部６４も透光性を有する材料にすることで、照射体に影ができにくくすることができる。
【００３８】
本例では、光拡散部材５８は、口金部１４の軸心の延長上に在り（以下、延長部分も含めて軸心Ｘとする。）、５つのＬＥＤモジュール２２，２４，２６，２８，３０の内、中央に配されたＬＥＤモジュール２２も軸心Ｘ上に在る。本例では、ＬＥＤモジュール２２は、その中心（緑色蛍光体膜２２Ｃの長方形主面（光出射面）の対角線の交点）を軸心Ｘが通る位置に配されている。
【００３９】
ＬＥＤモジュール２２から発せられた光の内、その真正面に存する光拡散部材５８に到達した光の一部は光拡散部材５８によって反射され、反射光の一部はグローブ１６の開口部近傍のグローブ１６部分を通過して外部へ出射される。よって、光拡散部材５８を設けない場合と比較して、より広範囲にＬＥＤランプ１０から光が出射されることとなる。また、光拡散部材５８に到達した光の内の残りは、光拡散部材５８を通過し、グローブ１６を介して散乱光となって出射されることとなる。このように、光拡散部材５８を透光性を有する材料で形成することによって、光拡散部材５８の存在により、被照射面に影ができるのを可能な限り防止できる。
【００４０】
この場合、本例のようにＬＥＤモジュールを複数個設けるのではなく、仮に、１個とした場合（使用するＬＥＤチップの総数は同じとする）を想定する。すなわち、１枚の実装基板にＬＥＤチップをマトリックス状に実装したＬＥＤモジュール（以下、「比較ＬＥＤモジュール」と言う。）とした場合を想定する。この場合、個々のＬＥＤチップの配光はランバーシアンの特性を呈し、その指向性が強いため、当該複数のＬＥＤチップの内、光拡散部材５８に強い光が到達するのは、実装基板の中央部分に配されたＬＥＤチップに偏ってしまい、実装基板の周縁部に近い位置に配されたＬＥＤチップが発する光のほとんどは、光拡散部材に到達することなくそのままグローブ内面に至ってしまう。その結果、実装基板の周縁部の配されたＬＥＤチップからの光は、ＬＥＤランプの配光を広げるのにあまり寄与しないこととなる。
【００４１】
そこで、本例では、比較ＬＥＤモジュールにおいて実装基板の周縁部に近い位置に配されるべきＬＥＤチップ分で、別のＬＥＤモジュールを創設し、当該別のＬＥＤモジュールを、軸心Ｘが通過する位置に配したＬＥＤモジュールの周囲に配し、かつ、別のＬＥＤモジュールは、光拡散部材の方向に傾けて配置することとした。ＬＥＤモジュール２４，２６，２８，３０が上記別のモジュールに該当する。
【００４２】
ＬＥＤモジュール２４，２６，２８，３０を上記のように傾けるため、金属部１８の外底面に斜面が形成されている。ＬＥＤモジュール２４を例に、図２（ｂ）を参照しながら説明する。
【００４３】
金属部１８の外底面には、軸心Ｘに向って隆起した斜面６６が形成されており、ＬＥＤモジュール２４は、斜面６６に搭載されている。斜面６６の傾斜の度合いであるが、必ずしもＬＥＤモジュール２４の真正面に光拡散部材５８が位置する程に傾ける必要はなく、たとえば、ＬＥＤモジュール２４の中心を通る実装基板２４Ａの法線を０度とした場合の配光角の内側に光拡散部材５８が入る程度に傾いていれば構わない。このようにすることで、前記比較ＬＥＤモジュールの場合よりも、光拡散部材５８に入射する光の量が増大するため、光拡散部材５８で口金部１８側斜め後方に反射される光の量が増大する結果、ＬＥＤランプ１０がより広範な配光となる。
【００４４】
他のＬＥＤモジュール２６，２８，３０に対しても、同様に斜面６８．７０，７２が形成されていて、ＬＥＤモジュール２６，２８，３０の各々は、対応する斜面６８．７０，７２に搭載されている。
【００４５】
なお、光拡散部材５８のＬＥＤモジュール２２に対する相対的な大きさであるが、平面視で、光拡散部材５８がＬＥＤモジュール２２の主発光面（すなわち、蛍光体膜２２Ｃ（図１）の上面）よりも小さいことが好ましい。当該主発光面よりも大きくした場合、たとえ光拡散部材が光透過性を有しているとはいえ、ＬＥＤランプ１０の前方に射出される光の量が少なくなり、配光特性上好ましくないからである。
【００４６】
上記の構成からなるＬＥＤランプ１０によれば、軸心Ｘの方向に光を射出する主たるＬＥＤモジュール２２の真正面に光拡散部材５８を設け、ＬＥＤモジュール２２の周辺に光拡散部材５８の方向に傾けてＬＥＤモジュール２４，２６，２８，３０を設けているため、上記比較ＬＥＤモジュールの場合と比べて、光拡散部材５８に入射する光の量がＬＥＤモジュール２４，２６，２８，３０によって増大するため、光拡散部材５８で口金部１８側斜め後方に反射される光の量が増大する結果、ＬＥＤランプ１０がより広範な配光となる。
【００４７】
なお、ＬＥＤモジュール２４，２６，２８，３０は全て傾ける必要は必ずしもなく、少なくとも１つを傾ける構成とすれば、上記比較ＬＥＤモジュールよりも配光特性が改善される。
【００４８】
以上、本発明を実施の形態に基づいて説明してきたが、本発明は、上記した形態に限らないことは勿論であり、例えば以下の形態とすることもできる。
＜光拡散部材の位置＞
上記実施の形態では、図１から分かるように、軸心Ｘ上、ＬＥＤモジュール２２における実装基板２２Ａの裏面（金属部１８におけるＬＥＤモジュールの搭載面）からグローブ１６の内面に至る間の真ん中（以下、この真ん中の位置を「グローブ中心」と称することとする。）よりもグローブ内面寄りに光拡散部材５８を設けている。これは、光拡散部材５８をＬＥＤモジュールからある程度遠ざけることにより、光拡散性を向上させるためである。しかしながら、光拡散部材５８がグローブ内面に近づくことにより、軸心Ｘおよびその近傍のグローブ１６部分を通過する光量が低下するおそれがある。この場合は、光拡散部材５８に軸心Ｘ上、軸心Ｘ方向に貫通する孔を設け、当該低下する部分の光量を増大させる他、図３に示すようにしても構わない。
【００４９】
すなわち、光拡散部材７３をグローブ中心ＣよりもＬＥＤのモジュール２２寄りに配置させても構わない。
【００５０】
このようにすれば、軸心Ｘおよびその近傍のグローブ１６部分を通過する光量の低下を防止することができる。
【００５１】
なお、実装基板の厚みが大きく、蛍光体膜２２Ｃの長方形主面（光出射面）が金属部１８の上面（ＬＥＤモジュールの搭載面）から大きく離れてしまうような場合は、上記グローブ中心は、軸心Ｘ上、ＬＥＤモジュール２２における蛍光体膜２２Ｃの長方形主面からグローブ１６の内面に至る間の真ん中の位置と定義しても構わない。
＜光拡散部材の形状＞
上記実施の形態では、光拡散部材５８の主要部は、正八角錐形状をしていたがこれに限らず例えば、以下のようにしても構わない。
【００５２】
図４（ａ）に示すように、星形正多角錐形状をした光拡散部材８０としても良い。
【００５３】
図４（ｂ）に示すように、正多面体の一例として示す正二十面体形状をした光拡散部材８２としても良い。
【００５４】
図４（ｃ）に示すように、平行多面体の一例として示す切隅八面体形状をした光拡散部材８４としても良い。
【００５５】
あるいは、図５（ａ）に示すように、リング状に形成した光拡散部材８６としても構わない。光拡散部材８６は、中空部中心に軸心Ｘが通るように配することにより、ＬＥＤモジュール２２からの最も強い光を当該中空部を通過させてグローブ１６（頂部）に入射させることができ、その周辺の光が光拡散部材８６で反射されて口金部１４側の斜め後方に向うこととなる。
【００５６】
また、リング状でなくても、図５（ｂ）、図５（ｃ）に示すように、中央部分を薄肉に形成した円板形状をした光拡散部材８８としても構わない。光拡散部材８８も、その中心部に軸心Ｘが通るように配することにより、ＬＥＤモジュール２２からの最も強い光を当該薄肉の中央部を透過させてグローブ１６（頂部）に入射させることができ、その周辺の光が光拡散部材８８の厚肉部で反射されて口金部１４側の斜め後方に向うこととなる。
＜光拡散部材の支持方法＞
上記実施の形態では、光拡散部材５８は、４本の脚部６４によって金属部材１８に支持しグローブ１６内に設けたが、グローブ１６内に設ける方法はこれに限らない。
【００５７】
例えば、図６に示すように、光拡散部材７４は、グローブ１６に取り付けることとしても構わない。本例では、光拡散部材７４において、鍔部６２から軸部７６を立設する一方、グローブ７６の頂部に貫通孔７８を開設して、軸部７６を貫通孔７８に挿入し接着することによって光拡散部材７４をグローブ７６に取り付けている。
【００５８】
また、図４（ｂ）や図４（ｃ）に示す立体的構造（多面体構造）の光拡散部材に関しては、図７（ａ）に示すように、透光性の複数の細いワイヤー７９で多方向から張力で吊るすことで固定支持することも可能である。
【００５９】
また、図７（ｂ）に示すように、グローブ１６内面の天井部から透明の台座８１により光拡散部材８２を固定することもできる。なお、光拡散部材８４（図４（ｃ））も同様に固定できる。
また、図７（ｃ）に示すように、透明な支柱８３でグローブ１６内面と金属部材１８の両方向から固定しても良い。なお、この場合は、ＬＥＤモジュール２２に代えてＬＥＤモジュール８９とする。ＬＥＤモジュール８９は、ＬＥＤチップ（不図示）の配列が変更されていて実装基板８９の真ん中にＬＥＤチップを配しない構成としており、実装基板８９の真ん中に貫通孔８９Ｄが開設されている。支柱８３は、貫通孔８９Ｄを貫通して、金属部材１８に固定されている。
＜ＬＥＤモジュールの平面形状および配列＞
図８（ａ）に示すのは、ＬＥＤモジュール９０，９２，９４を全て長方形の同じ形状とし、中央のＬＥＤモジュール９０の両側に平行にＬＥＤモジュール８２，９４を配している。本例では、ＬＥＤモジュール９０が、軸心Ｘの延長線がＬＥＤモジュール９０の中心を通る位置に配されており、他のＬＥＤモジュール９２，９４は、軸心Ｘ方向から視て、軸心Ｘを中心とする回転対称に配されている。なお、図８（ａ）では、簡略化して描いているが、ＬＥＤモジュール９２とＬＥＤモジュール９４とは、軸心Ｘに向って傾けて（光拡散部材５８の方向に傾けて）配されている。
【００６０】
上記では、３個のＬＥＤモジュールの大きさ（蛍光体膜における発光面積）を揃えたが、図８（ｂ）に示す例では、中央に配置したＬＥＤモジュール９６を大きく、その周辺（両側）に配したＬＥＤモジュール９８，１００を小さくして、その発光面積に差を持たせた。なお、ＬＥＤモジュール９８，１００各々は、言うまでも無く、軸心Ｘに向って傾けて（光拡散部材５８の方向に傾けて）配されている。
【００６１】
図８（ｃ）に示すのは、中央に配置したＬＥＤモジュール１０２の周辺に、軸心Ｘを中心とする円周上に小さなＬＥＤモジュール１０４〜ＬＥＤモジュール１１５を配した例である。本例では、ＬＥＤモジュール１０２が、軸心Ｘの延長線がその中心（ＬＥＤモジュール１０２の中心）を通る位置に配されており、他のＬＥＤモジュール１０４〜１１５が、軸心Ｘ方向から視て、軸心Ｘを中心とする回転対称に配されている。なお、ＬＥＤモジュール１０４〜ＬＥＤモジュール１１５の各々は、軸心Ｘに向って傾けて（光拡散部材５８の方向に傾けて）配されている。
【００６２】
ここで、中央に配置したＬＥＤモジュールの周辺に配置するＬＥＤモジュールの個数は、これまでに掲げた、４個（図２（ａ））、２個（図８（ａ）、（ｂ））、１２個（図８（ｃ））に限らず、任意である。なお、周辺に配置するＬＥＤモジュールを、軸心Ｘを中心とする回転対象に配する場合には、言うまでもなく２個以上となる。この場合、中央に配置するＬＥＤモジュールを含めたＬＥＤモジュールの個数（総数）は３個以上となる。
＜その他の変形例＞
（１）ここまでの例では、ＬＥＤモジュールは全て、光拡散部材の方に向けていたが、グローブの開口縁部に近いＬＥＤモジュールは、当該グローブの開口縁部に向けて傾けても構わない。そのようにした電球形ＬＥＤランプ１２０を図９に示す。
【００６３】
図９に示す例は、図１に示す実施の形態におけるＬＥＤモジュール２４、２６、（２８，３０）を二分割し、分割に係るＬＥＤモジュールの内、グローブ１６の開口縁部に近いＬＥＤモジュール１２４，１２６をグローブ１６の開口縁部に向けて傾けている。分割に係るＬＥＤモジュールの内、中央寄りのＬＥＤモジュール１２８，１３０は、上記実施の形態に係るＬＥＤランプ１０と同様、光拡散部材５８の方向に傾けて配している。
【００６４】
このようにすることで、グローブ１６の開口縁部にＬＥＤモジュール１２４，１２６からの直接光が入射する量が増大し、当該開口縁部で拡散されてグローブ１６から放出される光の量が多くなるため、より広範な配光となる。
【００６５】
（２）図１０（ａ）に示す電球形ＬＥＤランプ１３２は、上記電球形ＬＥＤランプ１２０（図９）における光拡散部材５８に代えて、グローブ１６内にドーム状をした光拡散フィルム１３４を設けた例である。光拡散フィルム１３４は、例えばプラスチックビーズ拡散材、ポリカーボネート、ポリエステルフィルム、アクリルウレタンなどからなる。光拡散フィルム１３４は、ＬＥＤモジュール２２，３０，１２４，１２６，１２８，１３０、…から出射された光を、その入射角に依り反射したり透過させたりする。これにより、光拡散フィルム１３４を設けない場合と比較して、ＬＥＤモジュールからの光がより広範囲にグローブ１６の内面に入射することとなるため、ＬＥＤランプ１３２としてより広範な配光となる。
【００６６】
なお、図１０（ｂ）に示す電球形ＬＥＤランプ１３４のように、光拡散フィルム１３６は、複数あるＬＥＤモジュールの一部（本例では、ＬＥＤモジュール２２）のみを覆う構成としても構わない。
＜照明装置＞
ＬＥＤランプ１０を備えた照明装置１５０を図１１に示す。図１１は、照明装置１５０を構成する照明器具１５２を断面図で表している。
【００６７】
照明器具１５２は、例えば天井や壁に取り付け可能なシーリングタイプの小型照明器具である。
【００６８】
照明器具１５２、外郭１５４と外郭１５４内に収納されたシェル受金１５６およびアイレット接片１５８とを有する。
【００６９】
外郭１５４は、耐熱性プラスチック等の絶縁材料からなり、長手方向中程が仕切られた円筒状をしている。
【００７０】
シェル受金１５６は、筒状雌ねじ部を有し、外郭１５４の仕切壁１５４Ａに小ねじ１６０で固定されている。
【００７１】
アイレット接片１５８は、短冊状の金属片が屈曲加工されたものであり、同じく仕切壁１５４Ａに小ねじ１６２で片持ち状態で固定されている。
【００７２】
上記構成からなる照明器具１５２に口金部１４（図１）をねじ込むことにより、ＬＥＤランプ１０が照明器具１５２に装着され、照明装置１５０が構成される。
【産業上の利用可能性】
【００７３】
本発明に係る電球形ＬＥＤランプは、例えば、白熱電球の代替光源として好適に利用可能である。
【符号の説明】
【００７４】
１０    電球形ＬＥＤランプ
１４    口金部
１６    グローブ
２２，２４，２６，２８，３０，９０,９２,９４,９６，１００，１０２，１０５，１０６,１０７，１０８，１０９，１１０，１１１,１１２，１１３，１１４，１１５    ＬＥＤモジュール
５８，７４，８０，８２，８４，８６，８８    光拡散部材
【図１】
2011145252.tif 000003
【図２】
2011145252.tif 000004
【図３】
2011145252.tif 000005
【図４】
2011145252.tif 000006
【図５】
2011145252.tif 000007
【図６】
2011145252.tif 000008
【図７】
2011145252.tif 000009
【図８】
2011145252.tif 000010
【図９】
2011145252.tif 000011
【図１０】
2011145252.tif 000012
【図１１】
2011145252.tif 000013
【手続補正書】
【提出日】平成23年5月30日(2011.5.30)
【手続補正１】
【補正対象書類名】明細書
【補正対象項目名】全文
【補正方法】変更
【補正の内容】
【発明の詳細な説明】
【技術分野】
【０００１】
本発明は、ＬＥＤランプおよび照明装置に関し、特に、白熱電球の代替光源として好適なＬＥＤランプ等に関する。
【背景技術】
【０００２】
近年の省資源の要請から、寿命による交換頻度を低減すると共に省電力化を図るため、白熱電球よりも長寿命で消費電力の少ない電球形のＬＥＤランプが実用化されさらなる開発が進められている。
電球形ＬＥＤランプは、一般的に、一の実装基板に多数のＬＥＤチップを実装し、当該実装基板の裏側、口金との間に存する筐体空間内にＬＥＤチップを点灯するための回路ユニットが収納されてなる構成を有している。
【０００３】
また、白熱電球の代替光源とするには、できるだけ白熱電球の配光特性に近づけることが要求されている。すなわち、例えば、下向きに取り付けた場合に、下方のみならず横方向、さらには斜め後方といった広範囲に光を発することが要求されている。
この点、ＬＥＤの配光はランバーシアンの特性を呈し、その指向性が強いため、そのままでは、主としてランプの直下およびその近傍を照らすといった配光特性になってしまう。このため、電球形ＬＥＤランプは、前記実装基板の周辺に開口部を有し、実装基板全体を覆うグローブを備えている（特許文献１）。そして、当該グローブを例えば、乳白色の半透明とすることにより、ＬＥＤからの光を、グローブを通過する間に散乱させ、可能な限り広範囲な配光とする工夫がなされている。
【０００４】
しかしながら、ＬＥＤから発せられた光は、その指向性から専ら、グローブ内面の内ＬＥＤ前方に存する領域を通過するだけなので、その散乱効果も限定的なものとなってしまう。
そこで、本願の出願人においては、実装基板の前方であってグローブとの間に光拡散部材が設けられたＬＥＤランプが創作されたため、この発明について先に出願した。
【０００５】
これによれば、ＬＥＤから発せられた光の一部がその前方に設けられた光拡散部材によって拡散（散乱）され、グローブ内面のより広範囲な領域を通過して射出されることとなり、配光特性が改善される。
【先行技術文献】
【特許文献】
【０００６】
【特許文献１】特開２００９−０３７９９５号公報
【特許文献２】特開２０１０−０８６７１３号公報
【発明の概要】
【発明が解決しようとする課題】
【０００７】
上記の発明により配光特性の一定の改善が認められるものの、さらなる改善を目指して、本発明は、より広範囲に光を出射できるＬＥＤランプを提供することを目的とする。また、そのようなＬＥＤランプを備えた照明装置を提供することを目的とする。
【課題を解決するための手段】
【０００８】
上記の目的を達成するため、本発明に係るＬＥＤランプは、ＬＥＤが実装基板に実装されたＬＥＤモジュールを複数個有し、口金を介して供給される電力によって発光する前記ＬＥＤの光を、グローブを介して外部に射出する構成としたＬＥＤランプであって、前記グローブ内に光拡散部材を備え、前記複数のＬＥＤモジュールの内、一のＬＥＤモジュールは前記口金の軸心の延長上に在り、前記光拡散部材は当該一のＬＥＤモジュールの光射出方向に在って、他のＬＥＤモジュールは前記一のＬＥＤモジュールの周辺に配されており、その少なくとも一つは、前記光拡散部材の方向に傾けて配置されていることを特徴とする。
【０００９】
また、前記ＬＥＤモジュールを３個以上有し、前記一のＬＥＤモジュールは、前記口金の前記軸心の延長線が当該一のＬＥＤモジュールの中心を通る位置に配されており、他のＬＥＤモジュールは、前記軸心方向から視て、当該軸心を中心とする回転対称に配されていることを特徴とする。
さらに、前記一のＬＥＤモジュールは、他のＬＥＤモジュールのいずれよりも発光量が多いことを特徴とする。
【００１０】
また、前記光拡散部材は、多面体形状をしていることを特徴とする。
あるいは、前記光拡散部材は、リング状をしており、当該リングの中心を前記軸心の延長線が通る位置に配されていることを特徴とする。
また、基台を有し、前記複数のＬＥＤモジュールは前記基台に搭載されており、前記光拡散部材は、支持部材を介して、前記基台に支持されていることを特徴とする。
【００１１】
あるいは、前記光拡散部材は、前記グローブに固定されていることを特徴とする。
上記の目的を達成するため、本発明に係る照明装置は、照明器具と、前記照明器具に装着された上記のＬＥＤランプとを有することを特徴とする。
【発明の効果】
【００１２】
上記の構成からなるＬＥＤランプによれば、口金の軸心の延長上に設けられた一のＬＥＤモジュールのみにならず、その周辺に配された他のＬＥＤモジュールの少なくとも一つが光拡散部材の方向を向いているため、ＬＥＤモジュールを１個のみとした場合と比較して（すなわち、全てのＬＥＤが同じ向きに光を射出する構成とした場合と比較して）、光拡散部材で拡散される光の量が増大するため、グローブのより広範囲に渡って光が通過することとなる。その結果、ＬＥＤランプからさらに広範囲に光が射出されることとなる。
【図面の簡単な説明】
【００１３】
【図１】（ａ）は電球形ＬＥＤランプの概略構成を示す断面図であり、（ｂ）は光拡散部材の斜視図であり、（ｃ）は金属部に支持されている光拡散部材を示す図である。
【図２】（ａ）は上記電球形ＬＥＤランプのグローブを取り除いた状態の平面図であり、（ｂ）はＬＥＤモジュールおよび金属部の一部を示す斜視図である。
【図３】光拡散部材の配置位置の変形例を示す図である。
【図４】（ａ）、（ｂ）、（ｃ）は、いずれも光拡散部材の変形例を示す斜視図である。
【図５】（ａ）は光拡散部材の変形例を示す斜視図であり、（ｂ）は光拡散部材の他の変形例を示す斜視図であり、（ｃ）は（ｂ）に示す光拡散部材の断面図である。
【図６】変形例に係る電球形ＬＥＤランプの一部を示す断面図である。
【図７】（ａ）、（ｂ）、（ｃ）は、いずれも変形例に係る電球形ＬＥＤランプの一部を示す断面図である。
【図８】（ａ）、（ｂ）、（ｃ）は、いずれも変形例に係る電球形ＬＥＤランプを示す平面図であり、グローブを取り除いた状態を表している。
【図９】変形例に係る電球形ＬＥＤランプの一部を示す断面図である。
【図１０】（ａ）、（ｂ）は、いずれも変形例に係る電球形ＬＥＤランプの一部を示す断面図である。
【図１１】照明装置の概略構成を示す図である。
【発明を実施するための形態】
【００１４】
以下、本発明の実施の形態について、図面を参照しながら説明する。
図１（ａ）は、電球形ＬＥＤランプ１０（以下、単に「ＬＥＤランプ１０」と言う。）の断面図であり、図２（ａ）は、後述するグローブ１６を取り除いた状態のＬＥＤランプ１０の平面図である。なお、本図を含む全ての図において各部材間の尺度は統一していない。
【００１５】
図１（ａ）に示すように、ＬＥＤランプ１０は、ケース部１２と、ケース部１２に一体的に連接された口金部１４と、ケース部１２に接着された略半球殻状のグローブ１６とを有する。グローブ１６は、合成樹脂やガラス等の透光性材料からなる。なお、グローブ１６は、光散乱効果を得るためブラスト処理又は、微粒子のふきつけや塗布がなされている。
【００１６】
ケース部１２は、金属部１８と絶縁部２０とからなる。金属部１８は、例えば、アルミニウムからなり、主として後述するＬＥＤモジュール２２，２４，２６，２８，３０が発する熱を放散させるためのヒートシンクを兼用している。絶縁部２０はエポキシ樹脂その他の合成樹脂材料からなる。
金属部１８は、中空の略円錐台形状をしていて、その外底部には、図２（ａ）に示すように、発光モジュールであるＬＥＤモジュール２２，２４，２６，２８，３０が設けられている。よって、金属部１８は、これらＬＥＤモジュール２２，２４，２６，２８，３０を搭載するための基台としての役割も有する。
【００１７】
５個のＬＥＤモジュール２２，２４，２６，２８，３０の内、中央に配されたＬＥＤモジュール２２は、正方形をした実装基板２２Ａに９個の青色ＬＥＤチップ２２Ｂ（図２（ａ）では不図示）が３行３列のマトリックス状に実装されていて、これら９個のＬＥＤチップ２２Ｂは、実装基板２２Ａの配線（不図示）によって直列接続されている。そして、これらのＬＥＤチップ９個を緑色蛍光体膜２２Ｃで覆っている。これにより白色ＬＥＤモジュール２２が構成されている。
【００１８】
残りのＬＥＤモジュール２４，２６，２８，３０は、実装基板２４Ａ，２６Ａ，２８Ａ，３０Ａの形状、実装されているＬＥＤチップの個数が異なる以外は、基本的に、ＬＥＤモジュール２２の構成と同様である。すなわち、長方形をした実装基板２４Ａ，２６Ａ，２８Ａ，３０Ａに、６個の青色ＬＥＤチップ（不図示）が２行３列に実装されていて、これらのＬＥＤチップを緑色蛍光体膜２４Ｃ，２６Ｃ，２８Ｃ，３０Ｃが覆っている。
【００１９】
そして、ＬＥＤモジュール２２は、後述する軸心Ｘの延長線がその中心（ＬＥＤモジュール２２の中心）を通る位置に配されており、他のＬＥＤモジュール２４，２６，２８，３０は、軸心Ｘ方向から視て、軸心Ｘを中心とする回転対称に配されている。
図１（ａ）に戻り、一方、金属部１８内には、ＬＥＤモジュール２２，２４，２６，２８，３０を点灯させるための点灯回路ユニット３２が収納されている。点灯回路ユニット３２は、金属部１８の内底部に接合されたプリント配線板３４とプリント配線板３４に実装された複数個の電子部品３６等からなる。電子部品３６は、プリント配線板３４の配線パターン（ランド等）に半田等によって電気的に接続されており、電子部品３６間は、配線パターンやプリント配線板３４に半田付けされた導線等によって電気的に接続されている。ＬＥＤモジュール２２，２４，２６，２８，３０と点灯回路ユニット３２とは、図２（ａ）に示すように、金属部１８の底部に開設された貫通孔１８Ａ，１８Ｂ，１８Ｃ，１８Ｄに、それぞれ挿通された内部配線３７，３８，３９,４０，４１，４２，４３，４４，４５，４６によって電気的に接続されている。
【００２０】
図１（ａ）に戻り、点灯回路ユニット３２は、口金部１４から第１リード線４８および第２リード線４９を介して供給される商用交流電力を、ＬＥＤモジュール２２，２４，２６，２８，３０を点灯させるための電力に変換して、ＬＥＤモジュール２２，２４，２６，２８，３０に給電する。なお、第１リード線４８、第２リード線４９は、いずれも被覆線であり被覆が両端部部分において一部ストリップされ、導線が露出してなるものである。
【００２１】
口金部１４は、ＪＩＳ（日本工業規格）に規定する、例えば、Ｅ２６口金の規格に適合するものであり、一般白熱電球用のソケット（不図示）に装着して使用される。
口金部１４は、筒状胴部とも称されるシェル５０と円形皿状をしたアイレット５２とを有する。シェル５０とアイレット５２とは、ガラス材料からなる第１絶縁体部５４を介して一体となっている。この一体となったものが、ケース部１２から延出され、円筒状をした第２絶縁体部５６に嵌め込まれている。
【００２２】
第２絶縁体部５６には、貫通孔５６Ａが開設されており、貫通孔５６Ａを介して第１リード線４８が第２絶縁体部５６内から外部に導出されている。
第１リード線４８の一端部の導線部分は、シェル５０の内周面と第２絶縁体部５６外周面との間に挟持されている。これにより、第１リード線４８とシェル５０とは電気的に接続されている。
【００２３】
アイレット５２は、中央部に開設された貫通孔５２Ａを有している。第２リード線４９の導線部がこの貫通孔５２Ａから外部へ導出され、アイレット５０の外面（上面）に半田付けにより接合されている。
グローブ１６内には、光拡散部材５８が設けられている。
図１（ｂ）に光拡散部材５８を斜め下方（金属部１８側）から見た斜視図を示す。光拡散部材５８は、正八角錐形状をした部分（以下、「八角錐部６０」と言う。）を有し、正八角錐形の基部から鍔部６２が一体形成されている。光拡散部材５８は、例えば、ガラス材料からなる。光拡散部材５８は、図１（ｃ）に示すように、４本の脚部６４を介して金属部１８に支持されている。なお、光拡散部材５８はガラス材料に限らず、樹脂や金属、セラミックでも構わない。なお、透光性を有していない金属などを使用する場合は中心部分に貫通孔を設けることで、中心部からの光を取り出すことができる。また、４本の脚部６４も透光性を有する材料にすることで、照射体に影ができにくくすることができる。
【００２４】
本例では、光拡散部材５８は、口金部１４の軸心の延長上に在り（以下、延長部分も含めて軸心Ｘとする。）、５つのＬＥＤモジュール２２，２４，２６，２８，３０の内、中央に配されたＬＥＤモジュール２２も軸心Ｘ上に在る。本例では、ＬＥＤモジュール２２は、その中心（緑色蛍光体膜２２Ｃの長方形主面（光出射面）の対角線の交点）を軸心Ｘが通る位置に配されている。
【００２５】
ＬＥＤモジュール２２から発せられた光の内、その真正面に存する光拡散部材５８に到達した光の一部は光拡散部材５８によって反射され、反射光の一部はグローブ１６の開口部近傍のグローブ１６部分を通過して外部へ出射される。よって、光拡散部材５８を設けない場合と比較して、より広範囲にＬＥＤランプ１０から光が出射されることとなる。また、光拡散部材５８に到達した光の内の残りは、光拡散部材５８を通過し、グローブ１６を介して散乱光となって出射されることとなる。このように、光拡散部材５８を透光性を有する材料で形成することによって、光拡散部材５８の存在により、被照射面に影ができるのを可能な限り防止できる。
【００２６】
この場合、本例のようにＬＥＤモジュールを複数個設けるのではなく、仮に、１個とした場合（使用するＬＥＤチップの総数は同じとする）を想定する。すなわち、１枚の実装基板にＬＥＤチップをマトリックス状に実装したＬＥＤモジュール（以下、「比較ＬＥＤモジュール」と言う。）とした場合を想定する。この場合、個々のＬＥＤチップの配光はランバーシアンの特性を呈し、その指向性が強いため、当該複数のＬＥＤチップの内、光拡散部材５８に強い光が到達するのは、実装基板の中央部分に配されたＬＥＤチップに偏ってしまい、実装基板の周縁部に近い位置に配されたＬＥＤチップが発する光のほとんどは、光拡散部材に到達することなくそのままグローブ内面に至ってしまう。その結果、実装基板の周縁部の配されたＬＥＤチップからの光は、ＬＥＤランプの配光を広げるのにあまり寄与しないこととなる。
【００２７】
そこで、本例では、比較ＬＥＤモジュールにおいて実装基板の周縁部に近い位置に配されるべきＬＥＤチップ分で、別のＬＥＤモジュールを創設し、当該別のＬＥＤモジュールを、軸心Ｘが通過する位置に配したＬＥＤモジュールの周囲に配し、かつ、別のＬＥＤモジュールは、光拡散部材の方向に傾けて配置することとした。ＬＥＤモジュール２４，２６，２８，３０が上記別のモジュールに該当する。
【００２８】
ＬＥＤモジュール２４，２６，２８，３０を上記のように傾けるため、金属部１８の外底面に斜面が形成されている。ＬＥＤモジュール２４を例に、図２（ｂ）を参照しながら説明する。
金属部１８の外底面には、軸心Ｘに向って隆起した斜面６６が形成されており、ＬＥＤモジュール２４は、斜面６６に搭載されている。斜面６６の傾斜の度合いであるが、必ずしもＬＥＤモジュール２４の真正面に光拡散部材５８が位置する程に傾ける必要はなく、たとえば、ＬＥＤモジュール２４の中心を通る実装基板２４Ａの法線を０度とした場合の配光角の内側に光拡散部材５８が入る程度に傾いていれば構わない。このようにすることで、前記比較ＬＥＤモジュールの場合よりも、光拡散部材５８に入射する光の量が増大するため、光拡散部材５８で口金部１８側斜め後方に反射される光の量が増大する結果、ＬＥＤランプ１０がより広範な配光となる。
【００２９】
他のＬＥＤモジュール２６，２８，３０に対しても、同様に斜面６８．７０，７２が形成されていて、ＬＥＤモジュール２６，２８，３０の各々は、対応する斜面６８．７０，７２に搭載されている。
なお、光拡散部材５８のＬＥＤモジュール２２に対する相対的な大きさであるが、平面視で、光拡散部材５８がＬＥＤモジュール２２の主発光面（すなわち、蛍光体膜２２Ｃ（図１）の上面）よりも小さいことが好ましい。当該主発光面よりも大きくした場合、たとえ光拡散部材が光透過性を有しているとはいえ、ＬＥＤランプ１０の前方に射出される光の量が少なくなり、配光特性上好ましくないからである。
【００３０】
上記の構成からなるＬＥＤランプ１０によれば、軸心Ｘの方向に光を射出する主たるＬＥＤモジュール２２の真正面に光拡散部材５８を設け、ＬＥＤモジュール２２の周辺に光拡散部材５８の方向に傾けてＬＥＤモジュール２４，２６，２８，３０を設けているため、上記比較ＬＥＤモジュールの場合と比べて、光拡散部材５８に入射する光の量がＬＥＤモジュール２４，２６，２８，３０によって増大するため、光拡散部材５８で口金部１８側斜め後方に反射される光の量が増大する結果、ＬＥＤランプ１０がより広範な配光となる。
【００３１】
なお、ＬＥＤモジュール２４，２６，２８，３０は全て傾ける必要は必ずしもなく、少なくとも１つを傾ける構成とすれば、上記比較ＬＥＤモジュールよりも配光特性が改善される。
以上、本発明を実施の形態に基づいて説明してきたが、本発明は、上記した形態に限らないことは勿論であり、例えば以下の形態とすることもできる。
＜光拡散部材の位置＞
上記実施の形態では、図１から分かるように、軸心Ｘ上、ＬＥＤモジュール２２における実装基板２２Ａの裏面（金属部１８におけるＬＥＤモジュールの搭載面）からグローブ１６の内面に至る間の真ん中（以下、この真ん中の位置を「グローブ中心」と称することとする。）よりもグローブ内面寄りに光拡散部材５８を設けている。これは、光拡散部材５８をＬＥＤモジュールからある程度遠ざけることにより、光拡散性を向上させるためである。しかしながら、光拡散部材５８がグローブ内面に近づくことにより、軸心Ｘおよびその近傍のグローブ１６部分を通過する光量が低下するおそれがある。この場合は、光拡散部材５８に軸心Ｘ上、軸心Ｘ方向に貫通する孔を設け、当該低下する部分の光量を増大させる他、図３に示すようにしても構わない。
【００３２】
すなわち、光拡散部材７３をグローブ中心ＣよりもＬＥＤのモジュール２２寄りに配置させても構わない。
このようにすれば、軸心Ｘおよびその近傍のグローブ１６部分を通過する光量の低下を防止することができる。
なお、実装基板の厚みが大きく、蛍光体膜２２Ｃの長方形主面（光出射面）が金属部１８の上面（ＬＥＤモジュールの搭載面）から大きく離れてしまうような場合は、上記グローブ中心は、軸心Ｘ上、ＬＥＤモジュール２２における蛍光体膜２２Ｃの長方形主面からグローブ１６の内面に至る間の真ん中の位置と定義しても構わない。
＜光拡散部材の形状＞
上記実施の形態では、光拡散部材５８の主要部は、正八角錐形状をしていたがこれに限らず例えば、以下のようにしても構わない。
【００３３】
図４（ａ）に示すように、星形正多角錐形状をした光拡散部材８０としても良い。
図４（ｂ）に示すように、正多面体の一例として示す正二十面体形状をした光拡散部材８２としても良い。
図４（ｃ）に示すように、平行多面体の一例として示す切隅八面体形状をした光拡散部材８４としても良い。
【００３４】
あるいは、図５（ａ）に示すように、リング状に形成した光拡散部材８６としても構わない。光拡散部材８６は、中空部中心に軸心Ｘが通るように配することにより、ＬＥＤモジュール２２からの最も強い光を当該中空部を通過させてグローブ１６（頂部）に入射させることができ、その周辺の光が光拡散部材８６で反射されて口金部１４側の斜め後方に向うこととなる。
【００３５】
また、リング状でなくても、図５（ｂ）、図５（ｃ）に示すように、中央部分を薄肉に形成した円板形状をした光拡散部材８８としても構わない。光拡散部材８８も、その中心部に軸心Ｘが通るように配することにより、ＬＥＤモジュール２２からの最も強い光を当該薄肉の中央部を透過させてグローブ１６（頂部）に入射させることができ、その周辺の光が光拡散部材８８の厚肉部で反射されて口金部１４側の斜め後方に向うこととなる。
＜光拡散部材の支持方法＞
上記実施の形態では、光拡散部材５８は、４本の脚部６４によって金属部材１８に支持しグローブ１６内に設けたが、グローブ１６内に設ける方法はこれに限らない。
【００３６】
例えば、図６に示すように、光拡散部材７４は、グローブ１６に取り付けることとしても構わない。本例では、光拡散部材７４において、鍔部６２から軸部７６を立設する一方、グローブ７６の頂部に貫通孔７８を開設して、軸部７６を貫通孔７８に挿入し接着することによって光拡散部材７４をグローブ７６に取り付けている。
また、図４（ｂ）や図４（ｃ）に示す立体的構造（多面体構造）の光拡散部材に関しては、図７（ａ）に示すように、透光性の複数の細いワイヤー７９で多方向から張力で吊るすことで固定支持することも可能である。
【００３７】
また、図７（ｂ）に示すように、グローブ１６内面の天井部から透明の台座８１により光拡散部材８２を固定することもできる。なお、光拡散部材８４（図４（ｃ））も同様に固定できる。
また、図７（ｃ）に示すように、透明な支柱８３でグローブ１６内面と金属部材１８の両方向から固定しても良い。なお、この場合は、ＬＥＤモジュール２２に代えてＬＥＤモジュール８９とする。ＬＥＤモジュール８９は、ＬＥＤチップ（不図示）の配列が変更されていて実装基板８９の真ん中にＬＥＤチップを配しない構成としており、実装基板８９の真ん中に貫通孔８９Ｄが開設されている。支柱８３は、貫通孔８９Ｄを貫通して、金属部材１８に固定されている。
＜ＬＥＤモジュールの平面形状および配列＞
図８（ａ）に示すのは、ＬＥＤモジュール９０，９２，９４を全て長方形の同じ形状とし、中央のＬＥＤモジュール９０の両側に平行にＬＥＤモジュール８２，９４を配している。本例では、ＬＥＤモジュール９０が、軸心Ｘの延長線がＬＥＤモジュール９０の中心を通る位置に配されており、他のＬＥＤモジュール９２，９４は、軸心Ｘ方向から視て、軸心Ｘを中心とする回転対称に配されている。なお、図８（ａ）では、簡略化して描いているが、ＬＥＤモジュール９２とＬＥＤモジュール９４とは、軸心Ｘに向って傾けて（光拡散部材５８の方向に傾けて）配されている。
【００３８】
上記では、３個のＬＥＤモジュールの大きさ（蛍光体膜における発光面積）を揃えたが、図８（ｂ）に示す例では、中央に配置したＬＥＤモジュール９６を大きく、その周辺（両側）に配したＬＥＤモジュール９８，１００を小さくして、その発光面積に差を持たせた。なお、ＬＥＤモジュール９８，１００各々は、言うまでも無く、軸心Ｘに向って傾けて（光拡散部材５８の方向に傾けて）配されている。
【００３９】
図８（ｃ）に示すのは、中央に配置したＬＥＤモジュール１０２の周辺に、軸心Ｘを中心とする円周上に小さなＬＥＤモジュール１０４〜ＬＥＤモジュール１１５を配した例である。本例では、ＬＥＤモジュール１０２が、軸心Ｘの延長線がその中心（ＬＥＤモジュール１０２の中心）を通る位置に配されており、他のＬＥＤモジュール１０４〜１１５が、軸心Ｘ方向から視て、軸心Ｘを中心とする回転対称に配されている。なお、ＬＥＤモジュール１０４〜ＬＥＤモジュール１１５の各々は、軸心Ｘに向って傾けて（光拡散部材５８の方向に傾けて）配されている。
【００４０】
ここで、中央に配置したＬＥＤモジュールの周辺に配置するＬＥＤモジュールの個数は、これまでに掲げた、４個（図２（ａ））、２個（図８（ａ）、（ｂ））、１２個（図８（ｃ））に限らず、任意である。なお、周辺に配置するＬＥＤモジュールを、軸心Ｘを中心とする回転対象に配する場合には、言うまでもなく２個以上となる。この場合、中央に配置するＬＥＤモジュールを含めたＬＥＤモジュールの個数（総数）は３個以上となる。
＜その他の変形例＞
（１）ここまでの例では、ＬＥＤモジュールは全て、光拡散部材の方に向けていたが、グローブの開口縁部に近いＬＥＤモジュールは、当該グローブの開口縁部に向けて傾けても構わない。そのようにした電球形ＬＥＤランプ１２０を図９に示す。
【００４１】
図９に示す例は、図１に示す実施の形態におけるＬＥＤモジュール２４、２６、（２８，３０）を二分割し、分割に係るＬＥＤモジュールの内、グローブ１６の開口縁部に近いＬＥＤモジュール１２４，１２６をグローブ１６の開口縁部に向けて傾けている。分割に係るＬＥＤモジュールの内、中央寄りのＬＥＤモジュール１２８，１３０は、上記実施の形態に係るＬＥＤランプ１０と同様、光拡散部材５８の方向に傾けて配している。
【００４２】
このようにすることで、グローブ１６の開口縁部にＬＥＤモジュール１２４，１２６からの直接光が入射する量が増大し、当該開口縁部で拡散されてグローブ１６から放出される光の量が多くなるため、より広範な配光となる。
（２）図１０（ａ）に示す電球形ＬＥＤランプ１３２は、上記電球形ＬＥＤランプ１２０（図９）における光拡散部材５８に代えて、グローブ１６内にドーム状をした光拡散フィルム１３４を設けた例である。光拡散フィルム１３４は、例えばプラスチックビーズ拡散材、ポリカーボネート、ポリエステルフィルム、アクリルウレタンなどからなる。光拡散フィルム１３４は、ＬＥＤモジュール２２，３０，１２４，１２６，１２８，１３０、…から出射された光を、その入射角に依り反射したり透過させたりする。これにより、光拡散フィルム１３４を設けない場合と比較して、ＬＥＤモジュールからの光がより広範囲にグローブ１６の内面に入射することとなるため、ＬＥＤランプ１３２としてより広範な配光となる。
【００４３】
なお、図１０（ｂ）に示す電球形ＬＥＤランプ１３４のように、光拡散フィルム１３６は、複数あるＬＥＤモジュールの一部（本例では、ＬＥＤモジュール２２）のみを覆う構成としても構わない。
＜照明装置＞
ＬＥＤランプ１０を備えた照明装置１５０を図１１に示す。図１１は、照明装置１５０を構成する照明器具１５２を断面図で表している。
【００４４】
照明器具１５２は、例えば天井や壁に取り付け可能なシーリングタイプの小型照明器具である。
照明器具１５２、外郭１５４と外郭１５４内に収納されたシェル受金１５６およびアイレット接片１５８とを有する。
外郭１５４は、耐熱性プラスチック等の絶縁材料からなり、長手方向中程が仕切られた円筒状をしている。
【００４５】
シェル受金１５６は、筒状雌ねじ部を有し、外郭１５４の仕切壁１５４Ａに小ねじ１６０で固定されている。
アイレット接片１５８は、短冊状の金属片が屈曲加工されたものであり、同じく仕切壁１５４Ａに小ねじ１６２で片持ち状態で固定されている。
上記構成からなる照明器具１５２に口金部１４（図１）をねじ込むことにより、ＬＥＤランプ１０が照明器具１５２に装着され、照明装置１５０が構成される。
【産業上の利用可能性】
【００４６】
本発明に係る電球形ＬＥＤランプは、例えば、白熱電球の代替光源として好適に利用可能である。
【符号の説明】
【００４７】
１０    電球形ＬＥＤランプ
１４    口金部
１６    グローブ
２２，２４，２６，２８，３０，９０,９２,９４,９６，１００，１０２，１０５，１０６,１０７，１０８，１０９，１１０，１１１,１１２，１１３，１１４，１１５    ＬＥＤモジュール
５８，７４，８０，８２，８４，８６，８８    光拡散部材
【手続補正２】
【補正対象書類名】特許請求の範囲
【補正対象項目名】全文
【補正方法】変更
【補正の内容】
【特許請求の範囲】
【請求項１】
ＬＥＤが実装基板に実装されたＬＥＤモジュールを複数個有し、口金を介して供給される電力によって発光する前記ＬＥＤの光を、グローブを介して外部に射出する構成としたＬＥＤランプであって、
前記グローブ内に光拡散部材を備え、
前記複数のＬＥＤモジュールの内、一のＬＥＤモジュールは前記口金の軸心の延長上に在り、前記光拡散部材は当該一のＬＥＤモジュールの光射出方向に在って、
他のＬＥＤモジュールは前記一のＬＥＤモジュールの周辺に配されており、その少なくとも一つは、前記光拡散部材の方向に傾けて配置されていることを特徴とするＬＥＤランプ。
【請求項２】
前記ＬＥＤモジュールを３個以上有し、
前記一のＬＥＤモジュールは、前記口金の前記軸心の延長線が当該一のＬＥＤモジュールの中心を通る位置に配されており、
他のＬＥＤモジュールは、前記軸心方向から視て、当該軸心を中心とする回転対称に配されていることを特徴とする請求項１に記載のＬＥＤランプ。
【請求項３】
前記一のＬＥＤモジュールは、他のＬＥＤモジュールのいずれよりも発光量が多いことを特徴とする請求項１または２に記載のＬＥＤランプ。
【請求項４】
前記光拡散部材は、多面体形状をしていることを特徴とする請求項１〜３のいずれか１項に記載のＬＥＤランプ。
【請求項５】
前記光拡散部材は、リング状をしており、当該リングの中心を前記軸心の延長線が通る位置に配されていることを特徴とする請求項１〜３のいずれか１項に記載のＬＥＤランプ。
【請求項６】
基台を有し、前記複数のＬＥＤモジュールは前記基台に搭載されており、
前記光拡散部材は、支持部材を介して、前記基台に支持されていることを特徴とする請求項１〜５のいずれか１項に記載のＬＥＤランプ。
【請求項７】
前記光拡散部材は、前記グローブに固定されていることを特徴とする請求項１〜５のいずれか１項に記載のＬＥＤランプ。
【請求項８】
照明器具と、
前記照明器具に装着された請求項１〜７のいずれか１項に記載のＬＥＤランプと、
を有することを特徴とする照明装置。
【手続補正３】
【補正対象書類名】図面
【補正対象項目名】全図
【補正方法】変更
【補正の内容】
【図１】
2011145252.tif 000014
【図２】
2011145252.tif 000015
【図３】
2011145252.tif 000016
【図４】
2011145252.tif 000017
【図５】
2011145252.tif 000018
【図６】
2011145252.tif 000019
【図７】
2011145252.tif 000020
【図８】
2011145252.tif 000021
【図９】
2011145252.tif 000022
【図１０】
2011145252.tif 000023
【図１１】
2011145252.tif 000024
【国際調査報告】
2011145252.tif 000025
2011145252.tif 000026